(57)【要約】【課題】  雌ネジ形成用の入れ子（金型）の回転引き抜き時間の短縮を可能とした雌ネジ部を有するディスクドライブ装置、ビーム角度調整構造、および、雌ネジ部の製造方法を提供する。【解決手段】  ピックアップ支持部１６の射出成型の完了後、無ネジ入れ子である第２ロッド３０１ｂのみを成型用金型３００から引き抜く。その後、第２ロッド３０１ｂおよび有ネジ入れ子１５０ａである第１ロッド３０１ａを１８０度軸周り沿って回転させる。その後、成型用金型３００、第１ロッド３０１ａ、および、第２ロッド３０１ｂを、ピックアップ支持部１６から離型する。【選択図】        図１２
2006012208.tif 000002
【特許請求の範囲】
【請求項１】
シャーシに取り付けられ、ディスクを装着して回転させるターンテーブルと、前記シャーシに固定されたガイド軸と、前記ガイド軸に回動自由に取り付けられ前記ガイド軸に沿って移動する光ピックアップと、前記ディスク面に前記光ピックアップからの光ビームが所定角度で照射するように設けられたビーム角度調整機構とを備えたディスクドライブ装置であって、
前記ビーム角度調整機構は、前記ターンテーブルに取り付けられて前記ガイド軸に沿う方向における前記ディスクの傾きを調整するターンテーブル角度調整機構と、前記光ピックアップに取り付けられてその光ピックアップの前記ガイド軸の周りの角度位置を調整することにより前記ガイド軸に交差する面内での前記光ビームの角度を調整する光ピックアップ角度調整機構とからなり、
前記光ピックアップ角度調整機構は、雄ネジ部材と雌ネジ部とからなり、
前記雄ネジ部材は、２枚の鍔によって前記シャーシの縁を挟むように係合して前記シャーシを基準高さ位置とする鍔係合部と、雄ネジ部分とを有し、
前記雌ネジ部は、前記光ピックアップの一部を構成するピックアップ支持部に固定された円筒孔領域を有し、前記円筒孔領域の内周面が、円周方向において２ｎ（ｎは整数）に分割され、有雌ネジ領域と無雌ネジ領域とが交互に配置され、
前記雄ネジ部材の鍔係合部を前記シャーシの縁に係合させ、前記雄ネジ部分を前記雌ネジ部に螺合させて、前記シャーシと前記雌ネジ部との間の距離を調整する、ディスクドライブ装置。
【請求項２】
シャーシに取り付けられ、ディスクを装着して回転させるターンテーブルと、前記シャーシに固定されたガイド軸と、前記ガイド軸と回動自由に係合して前記ガイド軸に沿って移動する光ピックアップとを備えたディスクドライブ装置において、前記ターンテーブルおよび前記光ピックアップの少なくとも一方に配置され、前記光ピックアップから出射される光ビームを前記ディスク面に所定角度で照射させるように調整するビーム角度調整構造であって、
前記ビーム角度調整構造は、雄ネジ部材と雌ネジ部とからなり、
前記雄ネジ部材は、前記シャーシを基準高さ位置としてそのシャーシに係合する基準位置係合部と、雄ネジ部分とを有し、
前記雌ネジ部は、前記光ピックアップと一体化して形成された円筒孔領域を有し、前記円筒孔領域の内周面が、円周方向において２ｎ（ｎは整数）に分割され、有雌ネジ領域と無雌ネジ領域とが交互に配置される、ビーム角度調整構造。
【請求項３】
請求項１に記載のディスクドライブ装置、または、請求項２に記載のビーム角度調整構造に採用される雌ネジ部の製造方法であって、
円周方向において２ｎ（ｎは整数）に分割された入れ子において、表面に雄ネジが形成された有ネジ入れ子と、表面に雄ネジが形成されていない無ネジ入れ子とを交互に配置した状態で射出成型を行ない、
前記無ネジ入れ子を引き抜いた後に、前記有ネジ入れ子を（１８０／ｎ）度回転させた後に有ネジ入れ子を引き抜くことを特徴とする、雌ネジ部の製造方法。
【発明の詳細な説明】
【技術分野】
【０００１】
この発明は、ディスクドライブ装置、ビーム角度調整構造、および、雌ネジ部の製造方法に関し、ディスクに照射される光ビームの照射角度の調整に用いられる雌ネジ部の構造およびその製造方法に関するものである。
【背景技術】
【０００２】
コンパクトディスク（ＣＤ）やミニディスク（ＭＤ）等のディスクドライブ装置では、光ピックアップからのビームがディスク面に所定の角度（通常、９０°）で当るように調整する、ビーム角度調整機構を有している。近年の高密度記録されたディスクでは、ディスクの径方向のビット間隔を狭く設定している。この高密度記録された信号を読み出すために、ビーム出射位置における対物レンズの開口数（ＮＡ）を大きくとり、ビーム径を小径化している。レーザビームの光軸がディスクの信号面に対してわずかでも傾いた場合、開口数の３乗とディスク厚みに比例してコマ収差が発生することが知られている。このコマ収差は、再生信号波形に歪みを与え、電圧変動や機構の不安定性その他の要因を発生させる。このため、シャーシ上にレーザビームの光軸の傾きを調整するビーム角度調整機構を設けている。
【０００３】
このビーム角度調整構造としては、２枚の鍔によってシャーシの縁を挟むように係合し、シャーシを基準高さ位置とする鍔係合部と、雄ネジ部分とを有する雄ネジ部材を用い、この雄ネジ部材の鍔係合部をシャーシの縁に係合させ、雄ネジ部分を雌ネジ部に螺合させて、シャーシとピックアップ支持部に設けられた雌ネジ部との間の距離を調整している。
【０００４】
ここで、雌ネジ部はピックアップ支持部に射出成型により一体成型される。その際、射出成型後の金型からの成型品（ピックアップ支持部）の取り出しにおいては、図２５に示すように、成型用金型３００により成型品２００の成型が終了した後、図２６に示すように、雌ネジ形成用の入れ子（金型）３０１を回転（矢印Ｂ方向）させながら引く抜くと同時に、成型用金型３００を成型品２００から引き離している（矢印Ａ方向）。したがって、成型品２００から成型用金型３００を引き離すための「離型時間」は、雌ネジ形成用の入れ子（金型）３０１の回転引き抜き時間に依存することになる。ここで、「離型時間」は、生産性向上の観点から短い方が好ましく、雌ネジ形成用の入れ子（金型）３０１の引き抜き回転速度を上げることにより、「離型時間」を短くすることはできるが、金型は金属であり、一方、成型品２００は樹脂であることから、引き抜き回転速度を早くし過ぎると、雌ネジ部が破損してしまうおそれがあり、所望の「離型時間」に達するように、引き抜き回転速度を早くすることができない。
【０００５】
なお、円周方向において雄ネジのネジ山を一部除去したもの（多条ネジの斜め嵌合防止装置）が下記特許文献３に開示され、また、雌ネジを円周方向において数箇所分断したもの（プラスチック製ヘリコイドネジ）が下記特許文献４に開示されているが、いずれの文献においても、射出成型において「離型時間」を短縮させる技術については、何ら開示されていない。
【特許文献１】特開２００４−５５０２６号公報
【特許文献２】実用新案登録第３０９１２７５号公報
【特許文献３】特開平１１−２４７８１８号公報
【特許文献４】特開昭６３−１８５９１０号公報
【発明の開示】
【発明が解決しようとする課題】
【０００６】
この発明が解決しようとする課題は、ディスクに照射される光ビームの照射角度の調整に用いられる雌ネジ部の射出成型において、「離型時間」が雌ネジ形成用の入れ子（金型）の回転引き抜き時間に依存していることから、「離型時間」を短くすることはできない点にある。したがって、この発明の目的は、雌ネジ形成用の入れ子（金型）の回転引き抜き時間の短縮を可能とした雌ネジ部を有するディスクドライブ装置、ビーム角度調整構造、および、雌ネジ部の製造方法を提供することにある。
【課題を解決するための手段】
【０００７】
この発明に基づいたディスクドライブ装置においては、シャーシに取り付けられ、ディスクを装着して回転させるターンテーブルと、上記シャーシに固定されたガイド軸と、上記ガイド軸に回動自由に取り付けられ上記ガイド軸に沿って移動する光ピックアップと、上記ディスク面に上記光ピックアップからの光ビームが所定角度で照射するように設けられたビーム角度調整機構とを備えたディスクドライブ装置であって、以下の構成を備えている。
【０００８】
上記ビーム角度調整機構は、上記ターンテーブルに取り付けられて上記ガイド軸に沿う方向における上記ディスクの傾きを調整するターンテーブル角度調整機構と、上記光ピックアップに取り付けられてその光ピックアップの上記ガイド軸の周りの角度位置を調整することにより上記ガイド軸に交差する面内での上記光ビームの角度を調整する光ピックアップ角度調整機構とからなる。
【０００９】
また、上記光ピックアップ角度調整機構は、雄ネジ部材と雌ネジ部とからなり、上記雄ネジ部材は、２枚の鍔によって上記シャーシの縁を挟むように係合して上記シャーシを基準高さ位置とする鍔係合部と雄ネジ部分とを有し、上記雌ネジ部は、上記光ピックアップの一部を構成するピックアップ支持部に固定された円筒孔領域を有し、上記円筒孔領域の内周面が、円周方向において２ｎ（ｎは整数）に分割され、有雌ネジ領域と無雌ネジ領域とが交互に配置され、上記雄ネジ部材の鍔係合部を上記シャーシの縁に係合させ、上記雄ネジ部分を上記雌ネジ部に螺合させて、上記シャーシと上記雌ネジ部との間の距離を調整している。
【００１０】
この発明に基づいたビーム角度調整構造においては、シャーシに取り付けられ、ディスクを装着して回転させるターンテーブルと、シャーシに固定されたガイド軸と、上記ガイド軸と回動自由に係合して上記ガイド軸に沿って移動する光ピックアップとを備えたディスクドライブ装置において、上記ターンテーブルおよび上記光ピックアップの少なくとも一方に配置され、上記光ピックアップから出射される光ビームを上記ディスク面に所定角度で照射させるように調整するビーム角度調整構造であって、以下の構成を備えている。
【００１１】
上記ビーム角度調整構造は、雄ネジ部材と雌ネジ部とからなり、上記雄ネジ部材は、上記シャーシを基準高さ位置としてそのシャーシに係合する基準位置係合部と、雄ネジ部分とを有し、上記雌ネジ部は、上記光ピックアップと一体化して形成された円筒孔領域を有し、上記円筒孔領域の内周面が、円周方向において２ｎ（ｎは整数）に分割され、有雌ネジ領域と無雌ネジ領域とが交互に配置されている。
【００１２】
この発明に基づいた雌ネジ部の製造方法においては、上記ディスクドライブ装置、または、上記ビーム角度調整構造に採用される雌ネジ部の製造方法であって、円周方向において２ｎ（ｎは整数）に分割された入れ子において、表面に雄ネジが形成された有ネジ入れ子と、表面に雄ネジが形成されていない無ネジ入れ子とを交互に配置した状態で射出成型を行ない、上記無ネジ入れ子を引き抜いた後に、上記有ネジ入れ子を（１８０／ｎ）度回転させた後に有ネジ入れ子を引き抜くことを特徴としている。
【発明の効果】
【００１３】
この発明に基づいたディスクドライブ装置、ビーム角度調整構造、および、雌ネジ部の製造方法によれば、無ネジ入れ子を引き抜いた後に、有ネジ入れ子を（１８０／ｎ）度回転させることにより、有ネジ入れ子は、雌ネジ部の成型箇所において、雌ネジが成型されていない領域に位置することとなる。これにより、有ネジ入れ子を回転させることなく、そのまま引き抜くことが可能となる。その結果、雌ネジ部の成型に用いられる雌ネジ形成用の入れ子（金型）の回転引き抜き時間の短縮が可能となり、射出成型において成型品（ピックアップ支持部）の「離型時間」を短縮させることが可能となる。
【発明を実施するための最良の形態】
【００１４】
以下、図を参照しながら、本発明の実施の形態について説明する。
【００１５】
（実施の形態１）
図１は、本発明の実施の形態１におけるディスクドライブ装置を示す平面図である。このディスクドライブ装置は、１本のガイド軸４が光ピックアップ２を支持するピックアップ支持部１６に開けられた貫通孔を貫通している。ピックアップ支持部１６は、光ピックアップと一体化して結合し光ピックアップの一部を構成する部材とみなすことができる。
【００１６】
ピックアップ支持部１６は、ガイド軸４の周りに回動自由に取り付けられ、ガイド軸４に沿ってスライドする。また、これは、光ピックアップ２が、ガイド軸４の周りに回動自由に取り付けられ、ガイド軸４に沿ってスライドする、と言い換えることができる。上記の光ピックアップのスライドは、ラック２６とピニオン２７とによって駆動される。図示していないディスクは、ターンテーブル３に載置される。レーザビームは光ピックアップの出射口である対物レンズ２ａを通って、その対物レンズの上方に位置するディスクにビームを照射する。
【００１７】
ビーム角度調整機構は、ターンテーブル３においてディスクの径方向の傾きを調整するターンテーブル角度調整機構２５と、ディスクの径方向と交差する方向の傾きを調整する光ピックアップ角度調整機構１０とから構成される。本発明のビーム角度調整構造は、スペースを少し余計にとるので、スペースの余裕がある光ピックアップに主に用いられるが、ターンテーブル角度調整機構に用いてもよい。
【００１８】
光ピックアップ角度調整機構１０は、シャーシ１の縁１ａに係合する鍔係合部６ｂを有する雄ネジ部材６と、ピックアップ支持部１６に設けられた雌ネジ部とから構成される。雄ネジ部材６は、シャーシ１の縁１ａを基準高さ位置として、雌ネジ部と螺合する際、雄ネジ部材自身は高さ位置を変えず、雌ネジ部が高さ位置を変える。このため、ピックアップ支持部１６は、雄ネジ部の高さ位置の変動に応じて高さ位置を変えガイド軸の周りに回転する。このピックアップ支持部は、ガイド軸４を支点とする長さ１６ａを有するアームとして機能する。
【００１９】
図２は、本実施の形態におけるディスクドライブ装置の分解斜視図であり、光ピックアップの部分を選択的に拾い出している。ガイド軸４はボルト１９などによって、シャーシ１に固定される。また、ピックアップ支持部に開けられた孔１８の中を、ガイド軸４は貫通している。ピックアップ支持部１６に設けられた雌ネジ部分に螺合する雄ネジ部材６の鍔係合部６ｂは、シャーシ１の縁１ａに係合して、雄ネジ部材６の高さ位置を一定に保つ。雄ネジ部材６は、雄ネジ部６ａがピックアップ支持部に固定されたナットに螺合され、円柱状の圧入部６ｃが、雌ネジ部に設けられた圧入孔に密着するように圧入される。ネジ部分に比較して、円柱状の圧入部や圧入孔は、はるかに高い位置精度で工作することができる。
【００２０】
図３は、光ピックアップ角度調整機構を示す図である。図３（ａ）は雌ネジ部１５が設けられるピックアップ支持部１６と、光ピックアップ２を示す図であり、図３（ｂ）は雄ネジ部材６を示す図である。ピックアップ支持部１６は光ピックアップ２を搭載したまま、ガイド軸４の周りに回動することができる。
【００２１】
雌ネジ部１５は、ピックアップ支持部１６と一体的に成型された円筒孔領域からなり、この円筒孔領域の内周面が、円周方向において２分割され、有雌ネジ領域１５ａと無雌ネジ領域１５ｂとが対向するように成型されている。交互に配置され、有雌ネジ領域１５ａのネジ底と無雌ネジ領域１５ｂの側面とが同一面となるように形成されている。この雌ネジ部１５は、光ピックアップ２およびピックアップ支持部１６と一体的にガイド軸４の周りに回動する。
【００２２】
雄ネジ部材６は、有雌ネジ領域１５ａと螺合するネジ部６ａと、圧入孔１５ｃに圧入される円柱状の圧入部６ｃと、２つの鍔の間にシャーシの縁１ａを挟んで、シャーシの縁を基準高さ位置とする鍔係合部６ｂと、調整つまみ部６ｄとから構成されている。圧入孔１５ｃの径はｄｏであり、また円柱状の圧入部６ｃの径も同じｄｏである。図４は、雄ネジ部材が雌ネジ部に螺合され、圧入孔に圧入部が圧入された状態を示す図である。
【００２３】
図５は、上記の光ピックアップ角度調整機構１０によってビーム角度が調整される機構を説明する図である。ピックアップ支持部１６はガイド軸４の周りに回動自由である。シャーシ１の縁１ａは、雄ネジ部材６の鍔係合部６ｂに挟まれることによって、雄ネジ部材６を所定の高さに維持している。シャーシ１の縁１ａは基準高さ位置を提供する。雄ネジ部材６のつまみ部６ｄをつまんで回転させた場合、雄ネジ部材６は、シャーシ１との係合のために移動することなく、有雌ネジ領域１５ａを上下に移動させる。すなわち、雌ネジ部１５とシャーシ１との間の距離を変化させることができる。このため、有雌ネジ領域１５ａの高さを変えることによってピックアップ支持部１６の角度位置を変える。このため、ピックアップ支持部１６の傾きが変動し、レーザビームの角度が調整される。
【００２４】
雄ネジ部材６は雌ネジ部１５と螺合したまま、光ピックアップ２がガイド軸４に沿ってスライドするとき、共にスライドする。鍔係合部６ｂとシャーシ２との係合は上記の調整の際にシャーシ１が基準高さ位置となるように係合するが、調整が済んだ後は、鍔係合部６ｂはシャーシ１に載って、滑らかに接触しているだけである。このため、雄ネジ部材６は、上記光ピックアップ２のスライドの際に、その鍔係合部６ｂをシャーシ１の縁１ａ上に滑らせながら共にスライドする。
【００２５】
上記したように、圧入部分において、遊びやガタツキが生じる余地は皆無である。このため、部品点数を増やすことなく、圧入部分という簡単な機構により遊びやガタツキの動きを排除することができる。
【００２６】
（雌ネジ部１５の製造方法）
次に、図６から図１０を参照して、雌ネジ部１５の製造方法（成型方法）について、具体的に説明する。図６は、雌ネジ部１５の平面図であり、有雌ネジ領域１５ａと無雌ネジ領域１５ｂとにより雌ネジ部１５が円周方向において２分割されている。
【００２７】
この雌ネジ部１５は、ピックアップ支持部１６の樹脂射出成型時に、雌ネジ形成用の入れ子（金型）を用いて、同時に成型されている。本実施の形態における雌ネジ部１５を成型するための雌ネジ形成用の入れ子について、図７から図１０を参照して、まず概念的に説明する。図７を参照して、本実施の形態における雌ネジ形成用の入れ子１５０は、略円筒形状をなし、円周方向において２分割されており、表面に雄ネジが形成された有ネジ入れ子１５０ａと、表面に雄ネジが形成されていない無ネジ入れ子１５０ｂとからなる。
【００２８】
図７に示すように、有ネジ入れ子１５０ａと無ネジ入れ子１５０ｂとを対向させた状態で、ピックアップ支持部１６の樹脂射出成型を行なう。その後、図８に示すように、無ネジ入れ子１５０ｂのみを引き抜く。その後、図９に示すように、有ネジ入れ子１５０ａを１８０度回転させる。その後、図１０に示すように、有ネジ入れ子１５０ａを引き抜く。このようにして、本実施の形態における雌ネジ形成用の入れ子１５０の引き抜きが完了する。
【００２９】
次に、ピックアップ支持部１６の成型用金型３００と雌ネジ形成用の入れ子１５０との関係について、図１１から図１４を参照して説明する。まず、図１１に示すように、ピックアップ支持部１６の射出成型の完了後、図１２に示すように、無ネジ入れ子である第２ロッド３０１ｂのみを成型用金型３００から引き抜く。その後、図１３に示すように、第２ロッド３０１ｂおよび有ネジ入れ子１５０ａである第１ロッド３０１ａを１８０度軸周りに沿って回転させる。その後、図１４に示すように、成型用金型３００、第１ロッド３０１ａ、および、第２ロッド３０１ｂを、ピックアップ支持部１６から離型する。
【００３０】
（作用・効果）
以上、この実施の形態におけるディスクドライブ装置、ビーム角度調整構造、および、雌ネジ部の製造方法によれば、無ネジ入れ子１５０ｂ（３０１ｂ）を引き抜いた後に、有ネジ入れ子１５０ａ（３０１ａ）を１８０度回転させることにより、有ネジ入れ子は１５０ａ（３０１ａ）雌ネジ部１５の成型箇所において、雌ネジが成型されていない無雌ネジ領域１５ｂに位置することとなる。これにより、有ネジ入れ子１５０ａ（３０１ａ）を回転させることなく、そのまま引き抜くことが可能となる。その結果、雌ネジ部１５の成型に用いられる雌ネジ形成用の入れ子（金型）の回転引き抜き時間の短縮が図られ、射出成型において成型品（ピックアップ支持部）の「離型時間」を短縮させることができる。
【００３１】
（実施の形態２）
以下、この発明に基づいた実施の形態２について説明する。上記実施の形態においては、有雌ネジ領域１５ａと無雌ネジ領域１５ｂとにより雌ネジ部１５が円周方向において２分割されて場合を示しているが、本実施の形態においては、図１５に示すように、有雌ネジ領域１５ａと無雌ネジ領域１５ｂとにより雌ネジ部１５が円周方向において４分割されて場合を示している。その他のディスクドライブ装置およびビーム角度調整構造は、上記実施の形態１の場合と同様である。よって、重複する説明は繰り返さないこととする。
【００３２】
（雌ネジ部１５の製造方法）
次に、図１６から図１９を参照して、本実施の形態における雌ネジ部１５の製造方法（成型方法）について、概念的に説明する。図１６を参照して、本実施の形態における雌ネジ形成用の入れ子１５０は、略円筒形状をなし、円周方向において４分割されており、表面に雄ネジが形成された有ネジ入れ子１５０ａと、表面に雄ネジが形成されていない無ネジ入れ子１５０ｂとが交互に配置されている。
【００３３】
図１６に示すように、有ネジ入れ子１５０ａと無ネジ入れ子１５０ｂとを交互に配置させた状態で、ピックアップ支持部１６の樹脂射出成型を行なう。その後、図１７に示すように、２つの無ネジ入れ子１５０ｂのみを引き抜く。その後、図１８に示すように、２つの有ネジ入れ子１５０ａを９０度回転させる。その後、図１９に示すように、有ネジ入れ子１５０ａを引き抜く。このようにして、本実施の形態における雌ネジ形成用の入れ子１５０の引き抜きが完了する。ピックアップ支持部１６の成型用金型３００と雌ネジ形成用の入れ子１５０との関係については、上記実施の形態１の場合と同様である。
【００３４】
（作用・効果）
以上、この実施の形態におけるディスクドライブ装置、ビーム角度調整構造、および、雌ネジ部の製造方法によっても、上記実施の形態１と同様の作用効果を得ることができる。また、２つの有ネジ入れ子１５０ａの回転角度が９０度であるため、この回転に要する時間をさらに短縮させることができる。
【００３５】
（実施の形態３）
以下、この発明に基づいた実施の形態３について説明する。上記実施の形態２においては、有雌ネジ領域１５ａと無雌ネジ領域１５ｂとにより雌ネジ部１５が円周方向において４分割されて場合を示しているが、本実施の形態においては、図２０に示すように、有雌ネジ領域１５ａと無雌ネジ領域１５ｂとにより雌ネジ部１５が円周方向において６分割されて場合を示している。その他のディスクドライブ装置およびビーム角度調整構造は、上記実施の形態１および２の場合と同様である。よって、重複する説明は繰り返さないこととする。
【００３６】
（雌ネジ部１５の製造方法）
次に、図２１から図２４を参照して、本実施の形態における雌ネジ部１５の製造方法（成型方法）について、概念的に説明する。図２１を参照して、本実施の形態における雌ネジ形成用の入れ子１５０は、略円筒形状をなし、円周方向において６分割されており、表面に雄ネジが形成された有ネジ入れ子１５０ａと、表面に雄ネジが形成されていない無ネジ入れ子１５０ｂとが交互に配置されている。
【００３７】
図２１に示すように、有ネジ入れ子１５０ａと無ネジ入れ子１５０ｂとを交互に配置させた状態で、ピックアップ支持部１６の樹脂射出成型を行なう。その後、図２２に示すように、２つの無ネジ入れ子１５０ｂのみを引き抜く。その後、図２３に示すように、２つの有ネジ入れ子１５０ａを６０度回転させる。その後、図２４に示すように、有ネジ入れ子１５０ａを引き抜く。このようにして、本実施の形態における雌ネジ形成用の入れ子１５０の引き抜きが完了する。ピックアップ支持部１６の成型用金型３００と雌ネジ形成用の入れ子１５０との関係については、上記実施の形態１の場合と同様である。
【００３８】
（作用・効果）
以上、この実施の形態におけるディスクドライブ装置、ビーム角度調整構造、および、雌ネジ部の製造方法によっても、上記実施の形態１および２と同様の作用効果を得ることができる。また、２つの有ネジ入れ子１５０ａの回転角度が６０度であるため、この回転に要する時間をさらに短縮させることができる。
【００３９】
なお、上記各実施の形態においては、有雌ネジ領域１５ａと無雌ネジ領域１５ｂとにより雌ネジ部１５が円周方向において２分割、４分割、および、６分割されたされた場合を示し、その製造方法において、２分割、４分割、および、６分割された雌ネジ形成用の入れ子を用いる場合について説明しているが、これに限らず、円周方向において２ｎ（ｎは整数）に分割され、有雌ネジ領域１５ａと無雌ネジ領域１５ｂとが交互に配置される雌ネジ部１５の採用が可能であり、また、その製造方法においても、円周方向において２ｎ（ｎは整数）に分割された入れ子において、表面に雄ネジが形成された有ネジ入れ子と、表面に雄ネジが形成されていない無ネジ入れ子とを交互に配置した状態で射出成型を行なうことが可能である。
【００４０】
なお、今回開示した上記実施の形態はすべての点で例示であって、限定的な解釈の根拠となるものではない。したがって、本発明の技術的範囲は、上記した実施の形態のみによって解釈されるのではなく、特許請求の範囲の記載に基づいて画定される。また、特許請求の範囲と均等の意味および範囲内でのすべての変更が含まれる。
【図面の簡単な説明】
【００４１】
【図１】本発明の実施の形態１におけるディスクドライブ装置を示す平面図である。
【図２】図１のディスクドライブ装置において光ピックアップ関連部品を選んで表示した分解斜視図である。
【図３】（ａ）は、図１のディスクドライブ装置のピックアップ支持部に設けられた雌ネジ部を示す図であり、（ｂ）は雄ネジ部材を示す図である。
【図４】図３（ａ）の雌ネジ部に図３（ｂ）の雄ネジ部材をネジ込み圧入した状態を示す図である。
【図５】本発明の実施の形態１において、ビーム角度を調整する原理を示す図である。
【図６】本発明の実施の形態１におけるピックアップ支持部に設けられる雌ネジ部の平面図である。
【図７】本発明の実施の形態１における雌ネジ形成用の入れ子の抜き動作を概念的に示す第１の図である。
【図８】本発明の実施の形態１における雌ネジ形成用の入れ子の抜き動作を概念的に示す第２の図である。
【図９】本発明の実施の形態１における雌ネジ形成用の入れ子の抜き動作を概念的に示す第３の図である。
【図１０】本発明の実施の形態１における雌ネジ形成用の入れ子の抜き動作を概念的に示す第４の図である。
【図１１】本発明の実施の形態１における成型用金型との関係における雌ネジ形成用の入れ子の抜き動作を示す第１の図である。
【図１２】本発明の実施の形態１における成型用金型との関係における雌ネジ形成用の入れ子の抜き動作を示す第２の図である。
【図１３】本発明の実施の形態１における成型用金型との関係における雌ネジ形成用の入れ子の抜き動作を示す第３の図である。
【図１４】本発明の実施の形態１における成型用金型との関係における雌ネジ形成用の入れ子の抜き動作を示す第４の図である。
【図１５】本発明の実施の形態２におけるピックアップ支持部に設けられる雌ネジ部の平面図である。
【図１６】本発明の実施の形態２における雌ネジ形成用の入れ子の抜き動作を概念的に示す第１の図である。
【図１７】本発明の実施の形態２における雌ネジ形成用の入れ子の抜き動作を概念的に示す第２の図である。
【図１８】本発明の実施の形態２における雌ネジ形成用の入れ子の抜き動作を概念的に示す第３の図である。
【図１９】本発明の実施の形態２における雌ネジ形成用の入れ子の抜き動作を概念的に示す第４の図である。
【図２０】本発明の実施の形態３におけるピックアップ支持部に設けられる雌ネジ部の平面図である。
【図２１】本発明の実施の形態３における雌ネジ形成用の入れ子の抜き動作を概念的に示す第１の図である。
【図２２】本発明の実施の形態３における雌ネジ形成用の入れ子の抜き動作を概念的に示す第２の図である。
【図２３】本発明の実施の形態３における雌ネジ形成用の入れ子の抜き動作を概念的に示す第３の図である。
【図２４】本発明の実施の形態３における雌ネジ形成用の入れ子の抜き動作を概念的に示す第４の図である。
【図２５】背景技術における成型用金型との関係における雌ネジ形成用の入れ子の抜き動作を示す第１の図である。
【図２６】背景技術における成型用金型との関係における雌ネジ形成用の入れ子の抜き動作を示す第２の図である。
【符号の説明】
【００４２】
１  シャーシ、１ａ  縁、２  光ピックアップ、２ａ  対物レンズ、３  ターンテーブル、４  ガイド軸、６  雄ネジ部材、６ａ  雄ネジ部、６ｂ  鍔係合部、６ｃ  圧入部、６ｄ  調整つまみ部、１０  光ピックアップ角度調整機構、１５  雌ネジ部、１５ａ  有雌ネジ領域、１５ｂ  無雌ネジ領域、１６  ピックアップ支持部、１８  孔、１９  ボルト、２５  ターンテーブル角度調整機構、２６  ラック、２７  ピニオン、１５０  入れ子、１５０ａ  有ネジ入れ子、１５０ｂ  無ネジ入れ子、３００  成型用金型、３０１ａ  第１ロッド、３０１ｂ  第２ロッド。
【図１】
2006012208.tif 000003
【図２】
2006012208.tif 000004
【図３】
2006012208.tif 000005
【図４】
2006012208.tif 000006
【図５】
2006012208.tif 000007
【図６】
2006012208.tif 000008
【図７】
2006012208.tif 000009
【図８】
2006012208.tif 000010
【図９】
2006012208.tif 000011
【図１０】
2006012208.tif 000012
【図１１】
2006012208.tif 000013
【図１２】
2006012208.tif 000014
【図１３】
2006012208.tif 000015
【図１４】
2006012208.tif 000016
【図１５】
2006012208.tif 000017
【図１６】
2006012208.tif 000018
【図１７】
2006012208.tif 000019
【図１８】
2006012208.tif 000020
【図１９】
2006012208.tif 000021
【図２０】
2006012208.tif 000022
【図２１】
2006012208.tif 000023
【図２２】
2006012208.tif 000024
【図２３】
2006012208.tif 000025
【図２４】
2006012208.tif 000026
【図２５】
2006012208.tif 000027
【図２６】
2006012208.tif 000028